(57)【要約】【課題】放送局の周波数情報を、受信しているデジタル放送から取得すること。【解決手段】受信部１０２によってデジタル放送を受信している場合、周波数情報取得部１０３によって、受信している放送局の地域ごとに割り振られた周波数情報を取得する。つぎに、周波数判断部１０４によって、取得された周波数情報の中に、受信している周波数が含まれているか否かを判断する。受信している周波数が含まれている場合、更新部１０５によって、取得された周波数情報に基づいて、あらかじめ記録された各放送局の地域ごとに割り振られた周波数情報を更新する。【選択図】図１
2008160174.tif 000002
【特許請求の範囲】
【請求項１】
各放送局の地域ごとに割り振られた周波数のデジタル放送を、移動しながら受信可能なデジタル放送受信装置において、
選局した放送局に対応する周波数のデジタル放送を受信する受信手段と、
前記受信手段によって前記放送局からデジタル放送を受信したときに、当該放送局の地域ごとに割り振られた周波数情報を取得する周波数情報取得手段と、
前記周波数情報取得手段によって取得された周波数情報に基づいて、あらかじめ記録された各放送局の地域ごとに割り振られた周波数情報を更新する更新手段と、
を備えることを特徴とするデジタル放送受信装置。
【請求項２】
前記周波数情報取得手段によって取得された周波数情報の中に、前記受信手段によって受信している周波数が含まれているか否かを判断する周波数判断手段を備え、
前記更新手段は、前記周波数判断手段によって、前記受信手段によって受信している周波数が含まれていると判断された場合、あらかじめ記録された各放送局の地域ごとに割り振られた周波数情報を更新することを特徴とする請求項１に記載のデジタル放送受信装置。
【請求項３】
現在位置情報を取得する位置取得手段と、
前記位置取得手段によって取得された現在位置情報が、前記受信手段によって受信している周波数に対応する地域に含まれるか否かを判断する地域判断手段を備え、
前記受信手段は、前記地域判断手段によって含まれないと判断された場合、前記現在位置情報の含まれる地域に割り振られた周波数に変更することを特徴とする請求項１または２に記載のデジタル放送受信装置。
【請求項４】
前記受信手段は、受信されている周波数の受信レベルが、所定値より低いか否かを判断する受信状況判断手段を備え、
前記受信手段は、前記受信状況判断手段によって所定値より低くなったと判断された場合、前記放送局の地域ごとに割り振られた他の周波数に変更することを特徴とする請求項１〜３のいずれか一つに記載のデジタル放送受信装置。
【請求項５】
各放送局の地域ごとに割り振られた周波数のデジタル放送を、移動しながら受信可能なデジタル放送受信装置におけるデジタル方法受信方法において、
選局した放送局に対応する周波数のデジタル放送を受信する受信工程と、
前記受信工程によって前記放送局からデジタル放送を受信したときに、当該放送局の地域ごとに割り振られた周波数情報を取得する周波数情報取得工程と、
前記周波数情報取得工程によって取得された周波数情報に基づいて、あらかじめ記録された各放送局の地域ごとに割り振られた周波数情報を更新する更新工程と、
を含むことを特徴とするデジタル放送受信方法。
【請求項６】
請求項５に記載のデジタル放送受信方法をコンピュータに実行させることを特徴とするデジタル放送受信プログラム。
【請求項７】
請求項６に記載のデジタル放送受信プログラムを記録したことを特徴とするコンピュータに読み取り可能な記録媒体。
【発明の詳細な説明】
【技術分野】
【０００１】
この発明は、デジタル放送における周波数情報を更新するデジタル放送受信装置、デジタル放送受信方法、デジタル放送受信プログラムおよび記録媒体に関する。ただし、この発明の利用は、上述したデジタル放送受信装置、デジタル放送受信方法、デジタル放送受信プログラムおよび記録媒体には限られない。
【背景技術】
【０００２】
従来、地上波デジタル放送においては、各放送局において地域ごとに異なる周波数のデジタル放送を送出している。このため、受信装置が最初に設置されたときに、居住地域を設定し、初期スキャン動作によってトランスポートストリーム（ＴＳ）内のネットワークインフォメーションテーブル（ＮＩＴ）情報から、放送を受信するために必要な各種情報を取得することで、地域を確定しデジタル放送の受信が可能となる。
【０００３】
さらに、各放送局における異なる周波数に対応する地域は、正確に地域が別れているとは限らないため、１つの放送局から複数の周波数を受信できる場合もある。この場合、たとえば、受信レベルのよい周波数があっても、設定された地域に他の周波数が対応付けられている場合、受信レベルの劣る周波数を受信しなければならない。このため、居住地域を設定しなくても、初期スキャン動作によって、地域に係わらず受信レベルの高い周波数を設定しデジタル放送を受信可能とする受信装置が提案されている（たとえば、下記特許文献１参照。）。この受信装置は、設置する地域が変更した場合や、移動体に搭載されて受信する地域が頻繁に変更する場合、ＮＩＴ情報をすべて一旦クリアし、初期状態から設定する初期スキャン動作をおこなわず、すでに記録されているＮＩＴ情報の変化のあった部分だけ更新する再スキャン動作によって更新をおこなう。
【０００４】
【特許文献１】特開２００５−６４７１８号公報
【発明の開示】
【発明が解決しようとする課題】
【０００５】
しかしながら、上述の特許文献１の技術では、たとえば、受信装置が移動体に搭載されている場合など、受信レベルが悪くなるたびに、再スキャン動作をおこなってしまう。再スキャン動作中は、デジタル放送を受信することができないため、利用者は、受信レベルが悪くなるたびに、番組の試聴を中断しなければならないといった問題が一例として挙げられる。
【課題を解決するための手段】
【０００６】
上述した課題を解決し、目的を達成するため、請求項１の発明にかかるデジタル放送受信装置は、各放送局の地域ごとに割り振られた周波数のデジタル放送を、移動しながら受信可能なデジタル放送受信装置において、選局した放送局に対応する周波数のデジタル放送を受信する受信手段と、前記受信手段によって前記放送局からデジタル放送を受信したときに、当該放送局の地域ごとに割り振られた周波数情報を取得する周波数情報取得手段と、前記周波数情報取得手段によって取得された周波数情報に基づいて、あらかじめ記録された各放送局の地域ごとに割り振られた周波数情報を更新する更新手段と、を備えることを特徴とする。
【０００７】
また、請求項５の発明にかかるデジタル放送受信方法は、各放送局の地域ごとに割り振られた周波数のデジタル放送を、移動しながら受信可能なデジタル放送受信装置におけるデジタル方法受信方法において、選局した放送局に対応する周波数のデジタル放送を受信する受信工程と、前記受信工程によって前記放送局からデジタル放送を受信したときに、当該放送局の地域ごとに割り振られた周波数情報を取得する周波数情報取得工程と、前記周波数情報取得工程によって取得された周波数情報に基づいて、あらかじめ記録された各放送局の地域ごとに割り振られた周波数情報を更新する更新工程と、を含むことを特徴とする。
【０００８】
また、請求項６の発明にかかるデジタル放送受信プログラムは、請求項５に記載のデジタル放送受信方法をコンピュータに実行させることを特徴とする。
【０００９】
また、請求項７の発明にかかる記録媒体は、請求項６に記載のデジタル放送受信プログラムをコンピュータに読み取り可能な状態で記録したことを特徴とする。
【発明を実施するための最良の形態】
【００１０】
以下に添付図面を参照して、この発明にかかるデジタル放送受信装置、デジタル放送受信方法、デジタル放送受信プログラムおよび記録媒体の好適な実施の形態を詳細に説明する。
【００１１】
（実施の形態）
（デジタル放送受信装置の機能的構成）
まず、この発明の本実施の形態にかかるデジタル放送受信装置１００の機能的構成について説明する。図１は、本実施の形態にかかるデジタル放送受信装置の機能的構成を示すブロック図である。
【００１２】
図１において、デジタル放送受信装置１００は、各放送局の地域ごとに割り振られた周波数のデジタル放送を、移動しながら受信可能である。デジタル放送受信装置１００は、記録部１０１と、受信部１０２と、周波数情報取得部１０３と、周波数判断部１０４と、更新部１０５と、位置取得部１０６と、地域判断部１０７と、受信状況判断部１０８と、を備えている。
【００１３】
地上波デジタル放送は、地域単位での放送であるため、地域（都道府県）が異なれば、番組内容は異なる。このため、地上波デジタル放送の規定によって、デジタル放送受信装置１００は、最初に起動する際、利用者の居住地域を設定する。そして、スキャン開始指示により、ＵＨＦの１３ＣＨから６２ＣＨをサーチして、情報を取得することでデジタル放送が受信可能となる。また、地域が異なれば放送している周波数が異なるため、地域が変わった段階で、再度初期設定（初期スキャン動作または再スキャン動作）、またはチャンネル選局が必要となる。
【００１４】
記録部１０１は、デジタル放送における各放送局（各事業者）の地域ごとに割り振られた周波数を記録する。具体的には、たとえば、デジタル放送においては、各放送局は、地域ごとに異なる周波数によってデジタル放送を送出しているため、各放送局の地域ごとの周波数をデータベースとして記録する。また、データベースには、地域情報が紐付けられてもよい。したがって、たとえば、各放送局において、ある地域でのデジタル放送の周波数がわかる。さらに、記録部１０１は、地図データが、記録されていてもよい。地図データは、ノードおよびリンクからなる道路ネットワークデータと、施設や道路その他地形（山、川、土地）に関するフィーチャを用いて描画される画像データとを含んでいる。地図データは、地域情報、文字情報、施設の名称や住所などの情報、道路や施設の画像などを含んでいてもよい。
【００１５】
受信部１０２は、選局した放送局に対応する周波数のデジタル放送を受信する。具体的には、たとえば、選局したリモコン番号に設定されている放送局の周波数（物理チャンネル）のうち、自装置の位置を含む地域、もしくはあらかじめ設定された地域における周波数のデジタル放送を受信する。
【００１６】
周波数情報取得部１０３は、受信部１０２によって放送局からデジタル放送を受信したときに、当該放送局の地域ごとに割り振られた周波数情報を取得する。具体的には、たとえば、受信している放送局から送出されるトランスポートストリーム（ＴＳ）内のネットワークインフォメーションテーブル（ＮＩＴ）情報に配置されている地上分配記述子からＭＦＮ（ＭＵＬＴＩ  ＦＲＥＱＵＥＮＣＹ  ＮＥＴＷＯＲＫ）情報を抽出することで取得する。ＭＦＮ情報は、多周波数ネットワーク情報であり、具体的には、異なる地域の送信所に異なる周波数を割り振るネットワークの情報である。
【００１７】
周波数判断部１０４は、周波数情報取得部１０３によって取得された周波数情報の中に、受信部１０２によって受信している周波数が含まれているか否かを判断する。具体的には、たとえば、周波数情報取得部１０３によって取得された周波数情報の中に、受信部１０２によって受信している周波数が含まれていないと判断された場合、異常情報の可能性がある。そして、各放送局の地域ごとの周波数のデータベースをこの異常情報によって更新すると、デジタル放送受信装置１００自体に不具合が起きたり、記録部１０１に記録されていた情報が破壊されてしまったりする。
【００１８】
更新部１０５は、周波数情報取得部１０３によって取得された周波数情報に基づいて、あらかじめ記録された各放送局の地域ごとに割り振られた周波数情報を更新する。具体的には、たとえば、各放送局の地域ごとの周波数のデータベースを更新する。また、更新部１０５は、周波数判断部１０４によって、受信部１０２によって受信している周波数が含まれていると判断された場合、あらかじめ記録された各放送局の地域ごとに割り振られた周波数情報を更新する。
【００１９】
位置取得部１０６は、現在位置情報を取得する。具体的には、たとえば、ＧＰＳ衛星から受信したＧＰＳ信号に加えて、挙動を検出する加速度センサや車速センサからの出力値に応じて、現在位置情報を取得するようにしてもよい。
【００２０】
地域判断部１０７は、位置取得部１０６によって取得された現在位置情報が、受信部１０２によって受信している周波数に対応する地域に含まれるか否かを判断する。具体的には、たとえば、記録部１０１に記録されている地図データによって、位置取得部１０６によって取得された現在位置情報が各放送局のデータベースにおけるどの地域か否かを判断する。
【００２１】
受信状況判断部１０８は、受信部１０２に含まれる。受信状況判断部１０８は、受信部１０２によって受信されている周波数の受信レベルが、所定値より低いか否かを判断する。所定値は、たとえば、デジタル放送が途切れることなく視聴することができる受信レベルでもよい。
【００２２】
なお、受信部１０２は、位置取得部１０６によって取得された現在位置情報が、受信部１０２によって受信している周波数に対応する地域に含まれないと、地域判断部１０７によって判断された場合、現在位置情報の含まれる地域に割り振られた周波数に変更してもよい。また、受信部１０２は、受信状況判断部１０８によって受信されている周波数の受信レベルが所定値より低くなったと、地域判断部１０７によって判断された場合、現在位置情報の含まれる地域に割り振られた周波数に変更してもよい。
【００２３】
（デジタル放送受信装置のデジタル放送受信処理手順）
つぎに、本実施の形態にかかるデジタル放送受信装置１００のデジタル放送受信処理手順について説明する。図２は、本実施の形態にかかるデジタル放送受信装置のデジタル放送受信処理手順を示すフローチャートである。図２のフローチャートにおいて、まず、受信部１０２によってデジタル放送を受信しているか否かを判断する（ステップＳ２０１）。受信部１０２によってデジタル放送を受信していない場合（ステップＳ２０１：Ｎｏ）、デジタル放送を受信するまで待機する。具体的には、たとえば、利用者などによって選局された放送局に対応する周波数のデジタル放送を受信するまで待機する。
【００２４】
そして、ステップＳ２０１においてデジタル放送を受信している場合（ステップＳ２０１：Ｙｅｓ）、周波数情報取得部１０３によって、ステップＳ２０１において受信している放送局の地域ごとに割り振られた周波数情報を取得する（ステップＳ２０２）。つぎに、周波数判断部１０４によって、ステップＳ２０２において取得された周波数情報の中に、ステップＳ２０１において受信している周波数が含まれているか否かを判断する（ステップＳ２０３）。ステップＳ２０３において受信している周波数が含まれている場合（ステップＳ２０３：Ｙｅｓ）、更新部１０５によって、ステップＳ２０２において取得された周波数情報に基づいて、あらかじめ記録された各放送局の地域ごとに割り振られた周波数情報を更新して（ステップＳ２０４）、一連の処理を終了する。
【００２５】
一方、ステップＳ２０３において受信している周波数が含まれていないと判断された場合（ステップＳ２０３：Ｎｏ）、そのまま一連の処理を終了する。ステップＳ２０３：Ｎｏにおいて受信している周波数が含まれていないと判断された場合、異常情報の可能性がある。この異常情報によって更新をおこなうと、記録部１０１に記録されたデータが破壊されてしまうため、受信している周波数が含まれていないと判断された場合、周波数情報の更新をおこなわない。
【００２６】
なお、図２のフローチャートにおいては、ステップＳ２０１においてデジタル放送を受信しているか否かを判断するとしているが、これに限るものではない。具体的には、自装置を起動した際のスキャン動作をおこなった場合に、ステップＳ２０２進む構成でもよい。
【００２７】
また、図２のフローチャートにおいては、ステップＳ２０４において周波数情報を更新するとしているが、これに限るものではない。具体的には、たとえば、周波数情報に対応する地域情報も更新してもよい。また、自装置の現在位置情報を取得し、この現在位置情報を周波数情報に紐付けてもよい。
【００２８】
また、図２のフローチャートにおいて、ステップＳ２０１において受信しているデジタル放送の受信レベルが所定値より低いと判断された場合、ステップＳ２０４において更新された周波数情報に基づいて、同じ放送局の異なる周波数に受信先を変更する。この場合、各放送局の異なる周波数に対応する地域が変更されても、スキャン動作をおこなわなくてもよい。とくに、デジタル放送受信装置１００が移動体に搭載されている場合、頻繁に受信レベルが所定値より低くなり、そのたびに、スキャン動作をおこなうことで、受信しているデジタル放送を中断することを防ぐことができる。
【００２９】
上述したように、本実施の形態のデジタル放送受信装置１００によれば、受信部１０２によって放送局からデジタル放送を受信したときに、周波数情報取得部１０３によって当該放送局の地域ごとに割り振られた周波数情報を取得し、取得された周波数情報に基づいて、更新部１０５によって、あらかじめ記録された各放送局の地域ごとに割り振られた周波数情報を更新することができる。したがって、通信の不安定な装置においても、スキャン動作をおこなわず、受信中の放送局の周波数情報を更新することができる。これによって、利用者は、通信環境の悪い場所においても、番組を試聴しながら周波数情報を更新させることができ、また、番組を中断させることなく視聴することができる。
【００３０】
また、本実施の形態のデジタル放送受信装置１００によれば、受信部１０２によって受信している周波数が含まれていると、周波数判断部１０４によって判断された場合、更新部１０５によって、あらかじめ記録された各放送局の地域ごとに割り振られた周波数情報を更新することができる。したがって、たとえば、異常情報などを受信した場合に、周波数情報の更新をしないことができる。これによって、利用者は、異常情報を受信した場合も、デジタル放送受信装置の内部データを破壊させないことができる。
【００３１】
また、本実施の形態のデジタル放送受信装置１００によれば、地域判断部１０７によって、位置取得部１０６によって取得された現在位置情報が、受信部１０２によって受信している周波数に対応する地域に含まれないと判断された場合、受信部１０２によって、現在位置情報の含まれる地域に割り振られた周波数に変更することができる。したがって、たとえば、移動体に搭載されている場合、現在位置に対応した地域の周波数に変更することができる。これによって、利用者は、移動体などによって移動しながら番組を試聴している場合も、番組を中断させることなく視聴することができる。
【００３２】
また、本実施の形態のデジタル放送受信装置１００によれば、受信状況判断部１０８によって、受信されている周波数の受信レベルが、所定値より低くなったと判断された場合、受信部１０２によって、同放送局の地域ごとに割り振られた他の周波数に変更することができる。したがって、受信レベルが所定値よりさらに低くなり、受信ができなくなることを防ぐことができる。これによって、利用者は、受信状況によって番組を中断させることなく視聴することができる。
【実施例】
【００３３】
以下に、本発明の実施例について説明する。本実施例では、たとえば、車両（四輪車、二輪車を含む）などの移動体に搭載されるナビゲーション装置と接続可能な本発明のデジタル放送受信装置の一例について説明する。
【００３４】
（デジタル放送受信装置のハードウェア構成）
つぎに、本実施例にかかるデジタル放送受信装置３００のハードウェア構成について説明する。図３は、本実施例にかかるデジタル放送受信装置のハードウェア構成を示すブロック図である。図３において、デジタル放送受信装置３００は、ＣＰＵ３０１と、メモリ３０２と、通信Ｉ／Ｆ（インターフェース）３０３と、アンテナ部３０４と、フロントエンド部３１０と、デコーダ部３２０と、リモコン３３０と、を備えている。各構成部３０１〜３２０は、バス３４０によってそれぞれ接続されている。
【００３５】
まず、ＣＰＵ３０１は、デジタル放送受信装置３００の全体の制御を司る。メモリ３０２は、ブートプログラム、データ更新プログラムなどのプログラムを記録している。また、メモリ３０２は、ＣＰＵ３０１のワークエリアとして使用される。すなわち、ＣＰＵ３０１は、メモリ３０２をワークエリアとして使用しながら、記録された各種プログラムを実行することによって、デジタル放送受信装置３００の全体の制御を司る。また、メモリ３０２は、デジタル放送を放送している各事業者の物理ＣＨのデータベースを記録している。このデータベースは、たとえば、各事業者ごとの周波数に対応付けられた物理ＣＨの一覧である。また、物理ＣＨに対応付けられたリモコン３３０の番号や、地域（エリア）情報が紐付けられていてもよい。さらに、他のデータベースとしては、地域ごとに受信可能な事業者の一覧があってもよい。
【００３６】
通信Ｉ／Ｆ３０３は、無線を介してネットワークに接続され、デジタル放送受信装置３００とＣＰＵ３０１とのインターフェースとして機能する。通信Ｉ／Ｆ３０３は、さらに、無線を介してインターネットなどの通信網に接続され、この通信網とＣＰＵ３０１とのインターフェースとしても機能する。
【００３７】
また、通信Ｉ／Ｆ３０３は、有線および無線を問わず、ナビゲーション装置と接続されていてもよい。さらに、通信Ｉ／Ｆ３０３は、たとえば、ナビゲーション装置からの情報を取得する。具体的には、たとえば、自装置の現在位置情報を取得する。現在位置情報は、ナビゲーション装置に備えられたＧＰＳユニットまたは各種センサからの情報によって取得する。
【００３８】
ＧＰＳユニットは、ＧＰＳ衛星からの電波を受信し、車両の現在位置を示す情報を出力する。また、各種センサは、車速センサ、加速度センサ、角速度センサなどの、車両の位置や挙動を判断するための情報を出力する。そして、ＧＰＳユニットの出力情報と、各種センサの出力値とによって、現在位置が算出される。現在位置を示す情報は、たとえば緯度・経度、高度などの、地図データ上の１点を特定する情報である。
【００３９】
アンテナ部３０４は、具体的には、たとえば、ＵＨＦアンテナである。アンテナ部３０４は、各放送局から送出されているデジタル放送の電波を受信する。そして、アンテナ部３０４において受信された電波は、フロントエンド部３１０に送出される。
【００４０】
フロントエンド部３１０は、チューナ部３１１と、誤り訂正部３１２と、を含んでいる。チューナ部３１１は、ＣＰＵ３０１の制御により選局された放送局の電波をアンテナ部３０４から受信し、デジタル信号に変換する。また、チューナ部３１１は、ＣＰＵ３０１の制御により、トランスポートストリーム（ＴＳ）からＮＩＴ（ネットワークインフォメーションテーブル）情報の取得および初期スキャン動作をおこなう。ＮＩＴ情報は、初期スキャン動作の際、または、チューナ部３１１によって受信した際に取得する。初期スキャン動作の場合、すべての放送局のＮＩＴ情報を取得する。また、初期スキャン動作以外の場合は、チューナ部３１１によって受信している放送局のＮＩＴ情報を取得する。ＮＩＴ情報は、チューナの基本的制御用の信号であり、チャンネル構成情報やそれに対応する周波数情報などが含まれる。
【００４１】
誤り訂正部３１２は、チューナ部３１１によって受信した放送局の電波が誤っている場合、訂正をおこなう。具体的には、たとえば、チューナ部３１１によって変換されたデジタル信号は、ノイズによって符号が判別できなかったり、誤って判別されたりすることがある。このため、誤り訂正部３１２は、送信側（放送局側）で誤りが生じても受信側（デジタル放送受信装置３００側）で訂正できる符号を付加する。デジタル信号への変換は、電波の振幅、周波数、位相のいずれかまたは組み合わせたものを変化させて信号を送出する。変換の方式は衛星放送、デジタル放送、ケーブルテレビなど伝送路固有の特性に応じて異なる。
【００４２】
デコーダ部３２０は、デスクランブル部３２１と、デマックス部３２２と、音声デコーダ部３２３と、映像デコーダ部３２４と、ＯＳＤ部３２５と、を含んでいる。デスクランブル部３２１は、フロントエンド部３１０によって送出されたデジタル信号を受信する。具体的には、たとえば、スクランブルされて送出される放送局からのデジタル信号をデスクランブルし、オリジナルのＴＳに変換する。放送局は、意図に反する視聴を防ぐために、ＴＳにスクランブル処理をおこない、画像を乱して表示させなくする。
【００４３】
デマックス部３２２は、ＴＳを映像部分と音声部分とに分離する。映像部分には、字幕情報などが含まれていてもよい。音声デコーダ部３２３は、デマックス部３２２によって分離された音声部分をデコードする。また、映像デコーダ部３２４は、デマックス部３２２によって分離された映像部分をデコードする。さらに、ＯＳＤ部３２５は、ＯＳＤ（Ｏｎ＿Ｓｃｒｅｅｎ＿Ｃｈａｒａｃｔｅｒ＿Ｄｉｓｐｌａｙ）信号を生成する。ＯＳＤ信号は、メニュー表示や番組表の表示に用いられる。ＯＳＤ信号によって表示画面の表示制御をおこなう。
【００４４】
そして、音声デコーダ部３２３によってデコーダされた音声情報は、たとえば、スピーカなどに出力される。また、映像デコーダ部３２４によってデコーダされた映像情報に、ＯＳＤ部３２５によってＯＳＤ信号を付加して、ディスプレイなどに出力される。ディスプレイとしては、たとえば、ＣＲＴ、ＴＦＴ液晶ディスプレイ、プラズマディスプレイなどを用いることができる。また、ディスプレイは、具体的には、たとえば、ディスプレイ全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイを制御する制御ＩＣなどによって制御される。
【００４５】
リモコン３３０は、入力デバイスであり、文字、数値、各種指示などの入力のための複数のキーを備えている。また、リモコンは、１ＣＨから１２ＣＨのキーを備えており、各キーには、地域ごとに設定された各放送局の物理ＣＨが割り振られている。したがって、リモコンのキーを選択することで、そのキーに対応付けられた放送局のデジタル放送を選局する指示をＣＰＵ３０１に送出する。また、たとえば、各キーには、サービスに対応した物理ＣＨが割り振られていてもよい。また、リモコン３３０の他の入力デバイスとしては、たとえば、キーボード、タッチパネルなどが挙げられる。入力デバイスは、リモコン、キーボード、タッチパネルのうちいずれか１つの形態によって実現されてもよいが、複数の形態によって実現することも可能である。
【００４６】
図１に示したデジタル放送受信装置１００が備える記録部１０１、受信部１０２、周波数情報取得部１０３、周波数判断部１０４、更新部１０５、位置取得部１０６、地域判断部１０７、受信状況判断部１０８は、図３に示したデジタル放送受信装置３００におけるメモリ３０２などに記録されたプログラムやデータを用いて、ＣＰＵ３０１が所定のプログラムを実行し、デジタル放送受信装置３００における各部を制御することによってその機能を実現する。
【００４７】
すなわち、実施例のデジタル放送受信装置３００は、デジタル放送受信装置３００における記録媒体としてのメモリ３０２に記録されているデジタル放送受信プログラムを実行することにより、図１に示したデジタル放送受信装置１００が備える機能を、図２に示したデジタル放送受信処理手順で実行することができる。
【００４８】
（事業者ごとの物理ＣＨデータベースの一例）
つぎに、図４を用いて事業者（放送局）ごとの物理ＣＨデータベースについて説明する。図４は、事業者ごとの物理ＣＨデータベースの一例について示した説明図である。図４においては、物理ＣＨデータベース４００は、各事業者のトランスポートストリーム識別子（ＴＳ  ＩＤ）および各事業者の使用している物理ＣＨの一覧を示している。
【００４９】
具体的には、たとえば、事業者１のトランスポートストリーム識別子はＴＳ  ＩＤ１であり、事業者１の使用している物理ＣＨは、２７ＣＨ、３７ＣＨ、４７ＣＨである。このように各事業者は、複数の物理ＣＨを使用しており、たとえば、地域ごとに異なる物理ＣＨによってデジタル放送を送出している。したがって、たとえば、初期スキャン動作をおこなうことで、利用者の設定した地域によって各事業者のその地域における物理ＣＨが設定することができる。そして、利用者は、各事業者のその地域における物理ＣＨに対応付けられたリモコンのＣＨを選択することによって、設定された物理ＣＨの放送を受信することができる。
【００５０】
ここで、物理ＣＨは、アナログＵＨＦ放送のチャンネル番号に一致する。デジタル放送では、アナログＵＨＦ放送と、ほぼ同じ周波数を使用しているため、アナログＵＨＦ放送の１３ＣＨ〜６２ＣＨのチャンネル番号を、そのまま、地上デジタル放送における物理ＣＨと呼んでいる。
【００５１】
初期スキャン動作は、デジタル放送受信装置３００を最初に起動した際におこなわれる。初期スキャン動作をおこなわないと、放送局からのデジタル放送を受信することができない。初期スキャン動作は、受信可能な電波を送出している事業者を検索する動作である。具体的には、たとえば、ＴＳからＮＩＴ情報を取得し、ＮＩＴ情報に含まれる各種情報によって図４に示した事業者ごとの物理ＣＨデータベースを作成する。
【００５２】
（デジタル放送受信装置のデータベース更新処理の内容の一例）
つぎに、図５を用いて本実施例にかかるデジタル放送受信装置３００のデータベース更新処理の内容の一例について説明する。図５は、本実施例にかかるデジタル放送受信装置のデータベース更新処理の内容の一例を示すフローチャートである。図５のフローチャートにおいて、まず、事業者からデジタル放送を受信中か否かを判断する（ステップＳ５０１）。ステップＳ５０１においてデジタル放送を受信中ではないと判断された場合（ステップＳ５０１：Ｎｏ）、ステップＳ５０１に戻り、デジタル放送を受信するまで待機する。
【００５３】
ステップＳ５０１においてデジタル放送を受信中の場合（ステップＳ５０１：Ｙｅｓ）、ステップＳ５０１において受信中の放送局のＮＩＴ情報を取得するまで待機する（ステップＳ５０２：Ｎｏのループ）。ステップＳ５０２においてＮＩＴ情報を取得した場合（ステップＳ５０２：Ｙｅｓ）、ステップＳ５０２において取得したＮＩＴ情報からＭＦＮ情報を抽出する（ステップＳ５０３）。
【００５４】
そして、ステップＳ５０３において抽出されたＭＦＮ情報に含まれる周波数の中に、ステップＳ５０１において受信中の周波数が含まれているか否かを判断する（ステップＳ５０４）。ステップＳ５０４において受信中の周波数が含まれている場合（ステップＳ５０４：Ｙｅｓ）、図４に示した物理ＣＨデータベース４００を更新して（ステップＳ５０５）、一連の処理を終了する。
【００５５】
一方、ステップＳ５０４において受信中の周波数が含まれていない場合（ステップＳ５０４：Ｎｏ）、ステップＳ５０２において取得したＮＩＴ情報が異常情報と判断して（ステップＳ５０６）、更新をおこなわずに、そのまま一連の処理を終了する。
【００５６】
なお、図５のフローチャートにおいては、ステップＳ５０１においてデジタル放送を受信中か否かを判断するとしているが、これに限るものではない。具体的には、たとえば、装置起動時の初期スキャン動作または物理ＣＨシークをしているか否かの判断をしてもよい。そして、初期スキャン動作中または物理ＣＨシーク中の場合、ステップＳ５０２に進む構成としてもよい。
【００５７】
（各事業者のエリアごとに割り振られた物理ＣＨデータベースの一例）
つぎに、図６を用いて各事業者のエリア（地域）ごとに割り振られた物理ＣＨデータベースについて説明する。図６は、各事業者のエリアごとに割り振られた物理ＣＨデータベースの一例について示した説明図である。図６においては、エリアごとに割り振られた物理ＣＨデータベース６００は、各事業者のトランスポートストリーム識別子（ＴＳ  ＩＤ）および各事業者の使用している物理ＣＨに各物理ＣＨの放送エリアを紐付けた一覧を示している。
【００５８】
エリアごとに割り振られた物理ＣＨデータベース６００は、図４に示した物理ＣＨデータベース４００の事業者ごとの物理ＣＨにエリア情報を紐付けている。具体的には、たとえば、事業者１のトランスポートストリーム識別子はＴＳ  ＩＤ１であり、事業者１の使用している物理ＣＨは、２７ＣＨ、３７ＣＨ、４７ＣＨである。さらに、事業者１は、エリアａにおいては、２７ＣＨによってデジタル放送を送出しており、エリアｂにおいては、３７ＣＨによってデジタル放送を送出していることがわかる。
【００５９】
（デジタル放送受信装置のデータベース更新処理および物理ＣＨ選択処理の内容の一例）
つぎに、図７を用いて、現在位置情報に基づいたデジタル放送受信装置３００のデータベース更新処理および物理ＣＨ選択処理の内容の一例について説明する。図７は、本実施例にかかるデジタル放送受信装置のデータベース更新処理および物理ＣＨ選択処理の内容の一例を示すフローチャートである。図７においては、まず、デジタル放送を受信中か否かを判断する（ステップＳ７０１）。ステップＳ７０１においてデジタル放送を受信中ではないと判断された場合（ステップＳ７０１：Ｎｏ）、ステップＳ７０１に戻り、デジタル放送を受信するまで待機する。
【００６０】
ステップＳ７０１においてデジタル放送を受信中の場合（ステップＳ７０１：Ｙｅｓ）、図５に示したデジタル放送受信装置３００のデータベース更新処理にしたがって、図６に示したエリアごとに割り振られた物理ＣＨデータベース６００を更新する（ステップＳ７０２）。さらに、通信Ｉ／Ｆ３０３によってナビゲーション装置などから自装置の現在位置情報を取得する（ステップＳ７０３）。つぎに、ステップＳ７０３において取得された現在位置情報および各事業者ごとに設定されたエリア情報に基づいて、現在位置のエリアを判断する（ステップＳ７０４）。そして、ステップＳ７０４において判断されたエリアを、図６に示したエリアごとに割り振られた物理ＣＨデータベース６００に紐付ける（ステップＳ７０５）。
【００６１】
また、ステップＳ７０１において受信中のデジタル放送の受信状況が悪化したか否かを監視し（ステップＳ７０６：Ｎｏのループ）、ステップＳ７０６において受信状況が悪化した場合（ステップＳ７０６：Ｙｅｓ）、ステップＳ７０４において判断したエリアに基づいて、図６に示したエリアごとに割り振られた物理ＣＨデータベース６００から候補物理ＣＨを選択する（ステップＳ７０７）。候補物理ＣＨは、たとえば、ステップＳ７０４において判断されたエリアに割り振られた物理ＣＨである。
【００６２】
そして、ステップＳ７０７において選択された物理ＣＨに、チューナ部３１１によって受信する物理ＣＨを変更する（ステップＳ７０８）。つぎに、ステップＳ７０８において変更された物理ＣＨによって受信されたデジタル放送と、変更前のデジタル放送とが、同じ事業者か否かを判断する（ステップＳ７０９）。ステップＳ７０９において異なる事業者と判断された場合（ステップＳ７０９：Ｎｏ）、別の候補物理ＣＨを選択し（ステップＳ７１０）、ステップＳ７０８に戻り、以降の処理を繰り返しおこなう。
【００６３】
ここで、別の候補物理ＣＨは、たとえば、ステップＳ７０３において取得された現在位置情報が、ステップＳ７０７において選択された候補物理ＣＨのエリアと重なっている場合、このエリアに対応する他の物理ＣＨでもよい。また、ステップＳ７０４において判断されたエリアに近接するエリアに対応する物理ＣＨでもよい。さらに、候補物理ＣＨには優先順位が付されていてもよい。そして、ステップＳ７０９において同じ事業者と判断された場合（ステップＳ７０９：Ｙｅｓ）、そのまま一連の処理を終了する。
【００６４】
なお、図７のフローチャートにおいては、ステップＳ７０６において受信状況が悪化したか否かを判断するとしているが、これに限るものではない。具体的には、たとえば、ステップＳ７０４において判断されたエリアが、受信中の周波数に対応する地域と異なる場合、ステップＳ７０７に進む構成でもよい。
【００６５】
上述したように、本実施例のデジタル放送受信装置３００によれば、受信部１０２によって放送局からデジタル放送を受信したときに、周波数情報取得部１０３によって当該放送局の地域ごとに割り振られた周波数情報を取得し、取得された周波数情報に基づいて、更新部１０５によって、あらかじめ記録された各放送局の地域ごとに割り振られた周波数情報を更新することができる。したがって、通信の不安定な装置においても、スキャン動作をおこなわず、受信中の放送局の周波数情報を更新することができる。これによって、利用者は、通信環境の悪い場所においても、番組を試聴しながら周波数情報を更新させることができ、また、番組を中断させることなく視聴することができる。
【００６６】
また、本実施例のデジタル放送受信装置３００によれば、受信部１０２によって受信している周波数が含まれていると、周波数判断部１０４によって判断された場合、更新部１０５によって、あらかじめ記録された各放送局の地域ごとに割り振られた周波数情報を更新することができる。したがって、たとえば、異常情報などを受信した場合に、周波数情報の更新をしないことができる。これによって、利用者は、異常情報を受信した場合も、デジタル放送受信装置３００の内部データを破壊させないことができる。
【００６７】
また、本実施例のデジタル放送受信装置３００によれば、地域判断部１０７によって、位置取得部１０６によって取得された現在位置情報が、受信部１０２によって受信している周波数に対応する地域に含まれないと判断された場合、受信部１０２によって、現在位置情報の含まれる地域に割り振られた周波数に変更することができる。したがって、たとえば、移動体に搭載されている場合、現在位置に対応した地域の周波数に変更することができる。これによって、利用者は、移動体などによって移動しながら番組を試聴している場合も、番組を中断させることなく視聴することができる。
【００６８】
また、本実施例のデジタル放送受信装置３００によれば、受信状況判断部１０８によって、受信されている周波数の受信レベルが、所定値より低くなったと判断された場合、受信部１０２によって、同放送局の地域ごとに割り振られた他の周波数に変更することができる。したがって、受信レベルが所定値よりさらに低くなり、受信ができなくなることを防ぐことができる。これによって、利用者は、受信状況によって番組を中断させることなく視聴することができる。
【００６９】
以上説明したように、本発明のデジタル放送受信装置、デジタル放送受信方法、デジタル放送受信プログラム、および記録媒体によれば、デジタル放送受信装置は、事業者からのデジタル放送を受信中に、受信している事業者の周波数情報およびエリア情報のデータベースを更新することができる。さらに、ナビゲーション装置などから現在位置情報を取得し、データベースに紐付けることができる。これによって、利用者は、移動体によって移動しエリアが変化する場合も、番組を中断させることなく視聴することができる。
【００７０】
なお、本実施の形態で説明したデジタル放送受信方法は、あらかじめ用意されたプログラムをパーソナル・コンピュータ、ワークステーション、携帯端末装置（携帯電話）などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００７１】
【図１】本実施の形態にかかるデジタル放送受信装置の機能的構成を示すブロック図である。
【図２】本実施の形態にかかるデジタル放送受信装置のデジタル放送受信処理手順を示すフローチャートである。
【図３】本実施例にかかるデジタル放送受信装置のハードウェア構成を示すブロック図である。
【図４】事業者ごとの物理ＣＨデータベースの一例について示した説明図である。
【図５】本実施例にかかるデジタル放送受信装置のデータベース更新処理の内容の一例を示すフローチャートである。
【図６】各事業者のエリアごとに割り振られた物理ＣＨデータベースの一例について示した説明図である。
【図７】本実施例にかかるデジタル放送受信装置のデータベース更新処理および物理ＣＨ選択処理の内容の一例を示すフローチャートである。
【符号の説明】
【００７２】
１００  デジタル放送受信装置
１０１  記録部
１０２  受信部
１０３  周波数情報取得部
１０４  周波数判断部
１０５  更新部
１０６  位置取得部
１０７  地域判断部
１０８  受信状況判断部
【図１】
2008160174.tif 000003
【図２】
2008160174.tif 000004
【図３】
2008160174.tif 000005
【図４】
2008160174.tif 000006
【図５】
2008160174.tif 000007
【図６】
2008160174.tif 000008
【図７】
2008160174.tif 000009